(57)【特許請求の範囲】
【請求項１】
縦方向および横方向を有し、肌対向面およびその反対側である非肌対向面と、前後ウエスト域と、これら前後ウエスト域間に位置するクロッチ域と、前記前後ウエスト域のいずれか一方を形成するとともに前記横方向へ伸縮可能な第１ウエストパネルと、前記前後ウエスト域のいずれか他方を形成するとともに前記横方向へ伸縮可能な第２ウエストパネルと、前記第１および第２ウエストパネルの前記縦方向間に延びてクロッチ域を形成するクロッチパネルと、前記クロッチパネルに配置された体液吸収体とを含む使い捨て着用物品において、
前記体液吸収体は、吸液性の芯材と前記芯材を覆う液透過性の被覆シートとを有し、
前記クロッチパネルは、前記横方向へ延びる第１および第２端縁が前記第１および第２ウエストパネルの前記肌対向面にそれぞれ接合され、前記芯材は、前記横方向へ延びる第１および第２端縁のうち、少なくとも前記第２端縁が前記第２ウエストパネルに重なり、
前記第２ウエストパネルは、前記芯材が重なる領域に非伸縮領域が形成され、前記非伸縮領域の前記横方向外側に第１伸縮領域が形成され、前記非伸縮領域の前記縦方向外側には第２伸縮領域が形成され、
前記第２伸縮領域と前記芯材の前記第２端縁との離間寸法は、５〜２０ｍｍとされることを特徴とする前記使い捨て着用物品。
【請求項２】
前記第１および第２伸縮領域は、前記横方向へ延びるとともに前記縦方向へ離間する複数のウエスト弾性体が伸張状態で収縮可能に取り付けられることによって形成される請求項１記載の使い捨て着用物品。
【請求項３】
前記クロッチパネルは、前記芯材の前記縦方向へ延びる両側縁において、その前記横方向外側に一対のガスケットカフを含み、
前記ガスケットカフには、前記縦方向へ延びるガスケット弾性体が伸長状態で収縮可能に取り付けられ、前記ガスケット弾性体の第１端部および第２端部のうち、少なくとも第２端部は、前記第１伸縮領域に重なって配置される請求項１または２記載の使い捨て着用物品。
【請求項４】
前記ガスケット弾性体の前記第２端部は、前記芯材の前記第２端縁よりも前記縦方向内側に位置し、前記第２端部と前記第２端縁との前記縦方向における離間寸法が５〜２０ｍｍとされる請求項３記載の使い捨て着用物品。
【請求項５】
前記芯材は、前記第２ウエストパネルと重なる領域において、前記横方向に剛性差が形成される請求項１〜４のいずれかに記載の使い捨て着用物品。
【請求項６】
前記第１伸縮領域は、その一部が前記芯材の両側縁にそれぞれ重なり、重なった領域の前記横方向における寸法が１５〜３５ｍｍとされる請求項１〜５のいずれかに記載の使い捨て着用物品。
【請求項７】
前記第２伸縮領域は、前記被覆シートから前記縦方向外側へ離間される請求項１〜６のいずれかに記載の使い捨て着用物品。
【発明の詳細な説明】
【技術分野】
【０００１】
この発明は、使い捨て着用物品に関し、より詳しくは、ウエスト域に伸縮性シートを用いた使い捨ておむつ、使い捨てのトイレット・トレーニングパンツ、使い捨て失禁パンツ、使い捨ての生理用パンツ等の使い捨て着用物品に関する。
【背景技術】
【０００２】
従来、クロッチ域から前後ウエスト域に吸収体が延在するとともに、前後ウエスト域に弾性体が取り付けられた使い捨ておむつは公知である。例えば、特許文献１には、使い捨ておむつの胴周囲部には、胴周囲部弾性部材が取り付けられ、胴周囲部弾性部材は、吸収体が存在しない部位においては弾性伸縮性を発現し、吸収体が存在する部位においては、実質的に弾性伸縮性が発現されないようにされていることが開示されている。
【先行技術文献】
【特許文献】
【０００３】
【特許文献１】特開２００１−６１８９０公報（ＪＰ  ２００１−６１８９０  Ａ）
【発明の概要】
【発明が解決しようとする課題】
【０００４】
上記のような特許文献１では、着用時において前後ウエスト域において吸収体がどのような形状を有するのかについて記載されていない。特にウエスト域に取り付けられた弾性部材によって、吸収体がどのような形状を有するのかについては、不明である。
【０００５】
この発明では、前後ウエスト域の少なくとも後ウエスト域に取り付けられたウエスト弾性体によって、吸収体が着用者の肌との間に空間を形成し、これによって便等の排泄物を保持するポケットが形成される着用物品を提供することを課題とする。
【課題を解決するための手段】
【０００６】
この発明は、縦方向および横方向を有し、肌対向面およびその反対側である非肌対向面と、前後ウエスト域と、これら前後ウエスト域間に位置するクロッチ域と、前記前後ウエスト域のいずれか一方を形成するとともに前記横方向へ伸縮可能な第１ウエストパネルと、前記前後ウエスト域のいずれか他方を形成するとともに前記横方向へ伸縮可能な第２ウエストパネルと、前記第１および第２ウエストパネルの前記縦方向間に延びてクロッチ域を形成するクロッチパネルと、前記クロッチパネルに配置された体液吸収体とを含む使い捨て着用物品の改良にかかわる。
【０００７】
この発明は、前記使い捨て着用物品において、前記体液吸収体は、吸液性の芯材と前記芯材を覆う液透過性の被覆シートとを有し、前記クロッチパネルは、前記横方向へ延びる第１および第２端縁が前記第１および第２ウエストパネルの前記肌対向面にそれぞれ接合され、前記芯材は、前記横方向へ延びる第１および第２端縁のうち、少なくとも前記第２端縁が前記第２ウエストパネルに重なり、前記第２ウエストパネルは、前記芯材が重なる領域に非伸縮領域が形成され、前記非伸縮領域の前記横方向外側に第１伸縮領域が形成され、前記非伸縮領域の前記縦方向外側には第２伸縮領域が形成され、前記第２伸縮領域と前記芯材の前記第２端縁との離間寸法は、５〜２０ｍｍとされることを特徴とする。
【発明の効果】
【０００８】
この発明の特にそのひとつ以上の実施態様によれば、第２ウエストパネルには、芯材が重なる領域に非伸縮領域が形成され、その両側には第１伸縮領域が形成され、その縦方向外側には第２伸縮領域が形成されることとし、前記第２伸縮領域と芯材の第２端縁との離間寸法を５〜２０ｍｍとしているので、芯材が重ならない領域では第２ウエストパネルが着用者に密着し、芯材が重なる領域では第２ウエストパネルが離間して、芯材の第２端縁近傍にポケットが形成される。排泄物はポケットに保持されるから、着用物品外に漏れるのを予防することができる。
【図面の簡単な説明】
【０００９】
【図１】使い捨て着用物品の一例であるおむつの前ウエスト域側から見た斜視図。
【図２】おむつの側方から見た斜視図。
【図３】おむつの肌対向面から見た展開平面図。
【図４】おむつの非肌対向面から見た展開平面図。
【図５】図３のＶ−Ｖ線切断端面図。
【図６】着用状態における図５に対応する図。
【図７】図３のＶＩＩ−ＶＩＩ線切断端面図。
【図８】着用状態における図７に対応する図であってその一部を示した図。
【発明を実施するための形態】
【００１０】
図１〜図５および図７を参照すると、おむつ１は、着用者の肌対向面およびその反対側である非肌対向面を有し、前ウエスト域２と、後ウエスト域３と、前後ウエスト域２，３間に位置するクロッチ域４とを有する。おむつ１は、横方向Ｘにおける長さ寸法を二等分した仮想縦中心線Ｐ−Ｐ、縦方向Ｙにおける長さ寸法を二等分した仮想横中心線Ｑ−Ｑを有し、仮想縦中心線Ｐ−Ｐに関してほぼ対称とされる。なお、図３、図４において、各弾性体は、その収縮力に抗して伸長させた状態で示している。
【００１１】
おむつ１は、前ウエスト域２を画定する前ウエストパネル２０と、後ウエスト域３を画定する後ウエストパネル３０と、クロッチ域４を画定するとともに、前後ウエスト域２，３へと延びるクロッチパネル４０とを含む。前ウエストパネル２０は、横方向Ｘへ延びる折曲線２１に沿って折り畳まれた前ウエストシート２２と、折り重なった前ウエストシート２２の間に取り付けられた前ウエスト弾性体２３とを有する。前ウエスト弾性体２３は、横方向Ｘへ延びるとともに、伸長状態で収縮可能に取り付けられ、前ウエストパネル２０を横方向Ｘへ弾性的に伸縮可能にしている。折り畳まれた前ウエストシート２２は、前ウエスト弾性体２３を介して、ホットメルト接着剤等の公知の接着手段によって互いに接着される。
【００１２】
後ウエストパネル３０は、横方向Ｘへ延びる折曲線３１に沿って折り畳まれた後ウエストシート３２と、折り重なった後ウエストシート３２の間に取り付けられた後ウエスト弾性体３３とを有する。後ウエスト弾性体３３は、横方向Ｘへ延びるとともに、伸長状態で収縮可能に取り付けられ、後ウエストパネル３０を横方向Ｘへ弾性的に伸縮可能にしている。折り畳まれた後ウエストシート３２は、後ウエスト弾性体３３を介して、ホットメルト接着剤等の公知の接着手段によって互いに接着される。
【００１３】
これら前後ウエストパネル２０，３０を両側縁２０ｃ，３０ｃに沿って間欠的に形成されたシーム部５によって接合することによって、これらが環状にされ、ウエスト開口が形成される。
【００１４】
前後ウエストシート２２，３２として、例えば、質量が約１０〜４０ｇ／ｍ２、好ましくは約１１〜２０ｇ／ｍ２のスパンボンド繊維不織布、スパンボンド・メルトブローン・スパンボンド（ＳＭＳ）繊維不織布を用いることができる前後ウエスト弾性体としては、ストリング状またはストランド状の複数本の弾性体を用いることができ、例えば、太さ約４００〜１２００ｄｔｅｘの弾性体を縦方向Ｙにおけるピッチ約４〜１２ｍｍで配置し、約１．７〜３．５倍の伸長倍率で取り付けることができる。
【００１５】
クロッチパネル４０は、芯材４１の吸収面に接着された身体側ライナ４２と、芯材４１の底面に接着された防漏シート４３と、吸液性の芯材４１および芯材４１を覆う被覆シート４９から構成される吸収体と、身体側ライナ４２および防漏シート４３を覆いクロッチパネル４０の外形を画定する裏面シート４４とを含む。身体側ライナ４２、防漏シート４３および裏面シート４４は、その縦方向Ｙにおける寸法がほぼ等しく、クロッチパネル４０の横方向Ｘへ延びる前後端縁４０ａ，４０ｂを画定する。芯材４１および被覆シート４９は、これら防漏シート４３、身体側ライナ４２、防漏シート４３および裏面シート４４よりもその縦方向Ｙにおける寸法が小さくされ、芯材４１の横方向Ｘへ延びる前後端縁４１ａ，４１ｂと、被覆シート４９の横方向Ｘへ延びる前後端縁４９ａ，４９ｂは、クロッチパネル４０の前後端縁４０ａ，４０ｂよりも縦方向Ｙ内側に位置される。
【００１６】
裏面シート４４は、芯材４１の底面側においては、防漏シート４３に接着され、芯材４１の両側縁４１ｃからその外側に延出され、縦方向Ｙへ延びる第１折曲線４５に沿って仮想縦中心線Ｐ-Ｐに向かって折り曲げられて横方向Ｘへ離間する一対の第１カフ（ガスケットカフ）４６が形成される。さらに、芯材４１に重なる位置において縦方向Ｙへ延びる第２折曲線４７に沿って横方向Ｘ外側へ向かって折り曲げられて、横方向Ｘへ離間する一対の第２カフ４８が形成される。第１カフ４６には、縦方向Ｙへ延びるガスケット弾性体５１が、伸長状態で収縮可能に取り付けられる。第１カフ４６において、図示しないホットメルト接着剤等の公知の接合手段によって裏面シート４４が互いに接着される。第１カフ４６は、主に着用者の太股に密着することができ、第２カフ４８は、第１カフ４６の内側において主に着用者の鼠蹊部または鼠蹊部近傍に密着することができ、排泄物の横漏れをそれぞれ防止することができる。
【００１７】
ガスケット弾性体５１は、前端部５１ａが前ウエスト域２に重なり、前ウエスト弾性体２３に交差して取り付けられる。後端部５１ｂは、後ウエスト域３に重なり後ウエスト弾性体３３に交差して取り付けられる。これら前後端部５１ａ，５１ｂが前後ウエスト弾性体２３，３３に交差するとは、前後ウエストシート２２，３２および裏面シート４４を介して間接的に重なって交差することを意味する。また、ガスケット弾性体５１は、前後端部５１ａ，５１ｂが、芯材４１の前後端縁４１ａ，４１ｂよりも、縦方向Ｙ内側、すなわち、仮想横中心線Ｑ-Ｑ側に位置される。少なくともガスケット弾性体５１の後端部５１ｂにおいて、芯材４１の後端縁４１ｂとの縦方向Ｙにおける寸法が、約５〜２０ｍｍ、好ましくは約７〜１５ｍｍとされる。
【００１８】
第２カフ４８は、その前後端部分で身体側ライナ４２に接合された近位縁部４８ａと、身体側ライナ４２とは接合されず離間可能とされた遠位縁部４８ｂとを有する。遠位縁部４８ｂには、縦方向Ｙへ延びる遠位弾性体５２が伸長状態で収縮可能に取り付けられる。
【００１９】
芯材４１としては、木材フラッフパルプ、高吸収性ポリマー粒子、またはこれらの混合物を用いることができる。被覆シート４９としては、ティッシュペーパ等の透液性かつ液拡散性のシートを用いることができ、例えば、質量約１０〜３０ｇ／ｍ２のスパンレース繊維不織布を用いることができる。これら芯材４１と被覆シート４９とは、図示しないホットメルト接着剤等の公知の接合手段を用いて互いに接合することができる。
身体側ライナ４２としては、例えば、質量約１５〜３５ｇ／ｍ２、好ましくは約１８〜２３ｇ／ｍ２のスパンボンド繊維不織布またはポイントボンド繊維不織布を用いることができる。防漏シート４３としては、透湿性かつ不透液性のプラスチックフィルムまたはこのフィルムと繊維不織布とのラミネートを用いることができる。
【００２０】
裏面シート４４は、例えば、質量約１０〜３０ｇ／ｍ２のＳＭＳ繊維不織またはスパンボンド繊維不織布を用いることができる。ガスケット弾性体５１としては、太さ約４００〜１２００ｄｔｅｘのストランド状またはストリング状の弾性体を約２．０〜３．０倍の伸長倍率で取り付けることができる。遠位弾性体５２としては、太さ約４００〜１２００ｄｔｅｘのストランド状またはストリング状の弾性体を約２．０〜３．０倍の伸長倍率で取り付けることができる。
【００２１】
上記のようなクロッチパネル４０は、前端縁４０ａが前ウエストパネル２０の肌対向面に位置し、裏面シート４４が前ウエストシート２２に図示しないホットメルト接着剤等の公知の接合手段によって接合される。このとき、芯材４１の前端縁４１ａも前ウエスト域２に位置し、芯材４１の一部と前ウエストパネル２０とが重なっている。前ウエストパネル２０に重なった芯材４１の縦方向Ｙにおける寸法は、約５０〜９０ｍｍである。このように芯材４１が重なった領域においては、前ウエスト弾性体２３が存在しない非伸縮領域６１が形成される。非伸縮領域６１は、前ウエスト弾性体２３を配置しないことによって形成することもできるし、前ウエストパネル２０の両側縁２０ｃ間に連続した前ウエスト弾性体２３を取り付けた後、芯材４１に重なる領域において弾性体を切断していわゆるカットバックによって伸縮性が発現されないようにして形成することもできる。
【００２２】
非伸縮領域６１の横方向Ｘ外側には、前ウエスト弾性体２３の伸縮力が発揮される第１伸縮領域６２が形成される。第１伸縮領域６２は、一部、芯材４１と重なるようにされている。すなわち、前ウエスト弾性体２３が、一部、芯材４１の両側縁４１ｃに重なって取り付けられ、これらが重なる領域の横方向Ｘにおける寸法は、約１５〜３５ｍｍとされている。したがって、芯材４１の両側縁４１ｃにおいては、前ウエスト弾性体２３の収縮力が作用する。
非伸縮領域６１の縦方向Ｙ外側には、前ウエスト弾性体２３の伸縮力が発揮される第２伸縮領域６３が形成される。第２伸縮領域６３は、前ウエストパネル２０の両側縁２０ｃ間において連続した前ウエスト弾性体２３によって形成される。
【００２３】
上記のような芯材４１の両側縁４１ｃを除くほぼ全域においては、芯材４１に前ウエスト弾性体２３の収縮力が作用しないので、芯材４１が横方向Ｘにおいて収縮することがなく、芯材４１に皺が発生しないから、着用者の肌に接触する面積が小さくなることがない。
【００２４】
クロッチパネル４０の後端縁４０ｂは、後ウエストパネル３０の肌対向面に位置し、その裏面シート４４が後ウエストシート３２に図示しないホットメルト接着剤等の公知の接合手段によって接合される。このとき、芯材４１の後端縁４１ｂが後ウエスト域３に位置し、芯材４１の一部と後ウエストパネル３０とが重なっている。後ウエストパネル３０に重なった芯材４１の縦方向Ｙにおける寸法は、約２０〜５０ｍｍであり、前ウエストパネル２０におけるそれよりも小さくされる。このように芯材４１が重なった領域においては、後ウエスト弾性体３３が存在しない非伸縮領域６４が形成される。
【００２５】
非伸縮領域６４の横方向Ｘ外側には、後ウエスト弾性体３３の伸縮力が発揮される第１伸縮領域６５が形成される。第１伸縮領域６５は、一部、芯材４１と重なるようにされている。すなわち、後ウエスト弾性体３３が、一部、芯材４１の両側縁４１ｃに重なって取り付けられる。具体的には、これらが重なる領域の横方向Ｘにおける寸法は、約５〜２０ｍｍとされる。したがって、芯材４１の両側縁４１ｃにおいては、後ウエスト弾性体３３の収縮力が作用する。ただし、後ウエスト域３において後ウエスト弾性体３３が芯材４１の両側縁４１ｃに重なる領域は、前ウエスト域２におけるそれよりも小さくされる。
【００２６】
図６に示したように、このような後ウエスト域３に位置する芯材４１において、両側縁４１ｃを除くほぼ全域で、芯材４１に後ウエスト弾性体３３の収縮力が作用しないので、芯材４１が横方向Ｘにおいて収縮することがなく、肌に対向可能な面積が小さくなることがない。したがって、肌に対向する面積が小さくなることによる吸収量の低下を予防することができる。また、第１伸縮領域６５がその収縮力によって着用者の肌に密着する一方、非伸縮領域６４では、肌に密着することなく、肌から離間するように両側縁４１ｃを基点にして湾曲する。特に、芯材４１の両側縁４１ｃでは、後ウエスト弾性体３３が重なって接合されているから、この両側縁４１ｃ近傍では、その剛性が他の領域よりも大きくなり、より一層、剛性の低い芯材４１の中央で肌から離間する方向へ湾曲し易くなる。なお、前ウエスト域２では、両側縁４１ｃに前ウエスト弾性体２３が重なる領域が比較的大きいから、この弾性体の収縮力によって、芯材４１が着用者の肌側へと押し付けられ、着用者の肌から離間することがない。
【００２７】
図４、図７および図８を参照すると、非伸縮領域６４の縦方向Ｙ外側には、後ウエスト弾性体３３の伸縮力が発揮される第２伸縮領域６６が形成される。第２伸縮領域６６は、後ウエストパネル３０の両側縁３０ｃにおいて連続した後ウエスト弾性体３３によって形成される。また、第２伸縮領域６６における複数本の後ウエスト弾性体３３の最もクロッチ域４側に位置するひとつと、芯材４１の後端縁４１ｂとの縦方向Ｙにおける離間寸法が約５〜２０ｍｍ、好ましくは約７〜１５ｍｍとされる。
【００２８】
芯材４１の後端縁４１ｂと、その縦方向Ｙ外側に位置する直近の後ウエスト弾性体３３との離間寸法が上記のようにされるから、図８に示したように、後ウエストパネル３０が横方向Ｘへ収縮すると、第２伸縮領域６６が着用者に密着する一方、芯材４１が後ウエストパネル３０から浮き上がる。芯材４１の後端縁４１ｂでは、後ウエストパネル３０との間に剛性差が生じ、後端縁４１ｂが接合された部分において、後ウエストパネル３０に段部が形成される。特に、縦方向Ｙへ延びるガスケット弾性体５１が、後ウエスト弾性体３３の少なくとも一部に重なるので、クロッチパネル４０が縦方向Ｙへ収縮され、より一層、後ウエストパネル３０に段差が生じやすい。
【００２９】
芯材４１が横方向Ｘにおいて着用者の肌から離間する方向へ湾曲し、後端縁４１ｂにおいて後ウエストパネル３０によって段差が形成されることによって、これら芯材４１および後ウエストパネル３０によって便等の排泄物を保持するポケット７０が形成される。ポケット７０では、排泄物が一時的に保持され、その後、芯材４１によって水分を吸収することができるから、特に水分を多く含む軟便がウエスト開口から漏れるのを防止することができる。また、このようにポケット７０が形成されることによって、芯材４１が着用者の肌から離間されるので、着用者の肌に身体側ライナ４２を介して芯材４１が密着することによる蒸れやかぶれを予防することができる。
【００３０】
前後ウエストパネル２０，３０の第２伸縮領域６３，６６は、被覆シート４９の縦方向Ｙ外側へ離間されている。具体的には、第２伸縮領域６３，６６に取り付けられた前後ウエスト弾性体２３，３３は、被覆シート４９の前後端縁４９ａ，４９ｂに重ならず、前後端縁４９ａ，４９ｂは、前後ウエスト弾性体２３，３３よりも縦方向Ｙ内側に位置される。被覆シート４９として、個々の繊維が機械的に交絡されたティッシュペーパ等が使用された場合には、曲げ剛性が比較的大きなシートになり、これに弾性体の収縮力を作用させてもシートが収縮しにくい。しかし、前後ウエスト弾性体２３，３３が、被覆シート４９に重ならないので、前後ウエストパネル２０，３０を確実に収縮させることができ、着用者の身体に密着させることができる。さらに、後ウエストパネル３０においては、第２伸縮領域６６を確実に収縮させることによって、ポケット７０が形成されやすくすることができる。
【００３１】
前後ウエストパネル２０，３０は、一枚のシートを折り返して形成された二枚重ねのシートによって構成され、クロッチパネル４０の前後端縁４０ａ，４０ｂでは、身体側ライナ４２、防漏シート４３および裏面シート４４が重なっているのみである。したがって、これら前後ウエストパネル２０，３０とクロッチパネル４０の前後端縁４０ａ，４０ｂとが重なった領域では、合計５枚という比較的少ない枚数のシートが重なっている。積層されたシートの枚数が少ないから、この部分における剛性も比較的小さいものとなり、前後ウエスト弾性体２３，３３の収縮力によって確実に前後ウエストパネル２０，３０が収縮される。
【００３２】
この実施形態において、非伸縮領域６１，６４は、前後ウエスト弾性体２３，３３が配置されないようにしているが、第１伸縮領域６２，６５よりもその伸縮力が小さく芯材４１を収縮させない程度のものであれば弾性体が取り付けられている場合であってもよい。
【００３３】
芯材４１が横方向Ｘにおいて湾曲し易くするために、その中央と、両側との間に剛性が生じるようにすることもできる。例えば、芯材４１の質量を横方向Ｘ中央と、その両側とで、異なるようにすることで剛性差を出すこともできる。また、芯材４１は、その一部に芯材を含まない領域を形成することもできる。さらに、芯材４１の中央またはその両側のいずれかに、加圧加工することによって剛性差を出すこともできる。芯材４１に縦方向Ｙまたは横方向Ｘへ延びるスリットを形成し、一部剛性が低下するようにすることもできる。
【００３４】
クロッチパネル４０には、遠位弾性体５２が取り付けられ、これによって第２カフ４８が縦方向Ｙへ収縮する。これに伴って、クロッチパネル４０全体が縦方向Ｙへ収縮されるから、芯材４１の後端縁４１ｂ近傍も縦方向Ｙへ収縮され、より一層ポケットが形成されやすくなる。この実施形態において、ポケット７０は、後ウエスト域３に形成されることとしているが、前ウエスト域２に形成されてもよいし、前後ウエスト域２，３に形成されてもよい。
【００３５】
以上に記載したこの発明に関する開示は、少なくとも下記事項に要約することができる。
この発明は、以下の使い捨て着用物品１の改良にかかわる。使い捨て着用物品１は、縦方向Ｙおよび横方向Ｘを有し、肌対向面およびその反対側である非肌対向面と、前後ウエスト域２，３と、これら前後ウエスト域２，３間に位置するクロッチ域４と、前記前後ウエスト域２．３のいずれか一方を形成するとともに前記横方向Ｘへ伸縮可能な第１ウエストパネル２０と、前記前後ウエスト域２，３のいずれか他方を形成するとともに前記横方向Ｘへ伸縮可能な第２ウエストパネル３０と、前記第１および第２ウエストパネル２０，３０の前記縦方向Ｙ間に延びてクロッチ域４を形成するクロッチパネル４０と、前記クロッチパネル４０に配置された体液吸収体とを含む。
【００３６】
この発明は、上記使い捨て着用物品１において、以下の点を特徴とする。
前記体液吸収体は、吸液性の芯材４１と前記芯材４１を覆う液透過性の被覆シート４９とを有する。
前記クロッチパネル４０は、前記横方向Ｘへ延びる第１および第２端縁４０ａ，４０ｂが前記第１および第２ウエストパネル２０，３０の前記肌対向面にそれぞれ接合され、前記芯材４１は、前記横方向Ｘへ延びる第１および第２端縁４１ａ，４１ｂのうち、少なくとも前記第２端縁４１ｂが前記第２ウエストパネル３０に重なる。
前記第２ウエストパネル３０は、前記芯材４１が重なる領域に非伸縮領域６４が形成され、前記非伸縮領域６４の前記横方向Ｘ外側に第１伸縮領域６５が形成され、前記非伸縮領域６４の前記縦方向Ｙ外側には第２伸縮領域６６が形成される。
前記第２伸縮領域６６と前記芯材４１の前記第２端縁４１ｂとの離間寸法は、５〜２０ｍｍとされる。
【００３７】
上記の発明は、少なくとも下記の実施の形態を含むことができる。
（１）前記第１および第２伸縮領域６３，６６は、前記横方向Ｘへ延びるとともに前記縦方向Ｙへ離間する複数のウエスト弾性体２３，３３が伸張状態で収縮可能に取り付けられることによって形成される。
（２）前記クロッチパネル４０は、前記芯材４１の前記縦方向Ｙへ延びる両側縁４１ｃにおいて、その前記横方向Ｘ外側に一対のガスケットカフ４６を含む。
前記ガスケットカフ４６には、前記縦方向Ｙへ延びるガスケット弾性体５１が伸長状態で収縮可能に取り付けられ、前記ガスケット弾性体５１の第１端部５１ａおよび第２端部５１ｂのうち、少なくとも第２端部５１ｂは、前記第１伸縮領域６５に重なって配置される。
（３）前記ガスケット弾性体５１の前記第２端部５１ｂは、前記芯材４１の前記第２端縁４１ｂよりも前記縦方向Ｙ内側に位置し、前記第２端部５１ｂと前記第２端縁４１ｂとの前記縦方向Ｙにおける離間寸法が５〜２０ｍｍとされる。
（４）前記芯材４１は、前記第２ウエストパネル３０と重なる領域において、前記横方向Ｘに剛性差が形成される。
（５）前記第１伸縮領域６２は、その一部が前記芯材４１の両側縁４０ｃにそれぞれ重なり、重なった領域の前記横方向Ｘにおける寸法が１５〜３５ｍｍとされる。
（６）前記第２伸縮領域６３，６６は、前記被覆シート４９から前記縦方向Ｙ外側へ離間される。
【００３８】
おむつ１を構成する各構成部材には、この発明の明細書に記載されている材料のほかに、この種の分野において通常用いられている、各種の公知の材料を制限なく用いることができる。また、おむつ１は、前ウエスト域２と、後ウエスト域３と、クロッチ域４とが一連に形成された態様であってもよい。
【００３９】
この発明の明細書および特許請求の範囲において、用語「第１」および「第２」は、同称の要素、位置等を単に区別するために用いられている。さらに、この発明の明細書および特許請求の範囲において、用語「第１ウエスト域」は、前後ウエスト域の一方を意味し、「第２ウエスト域」はその他方を意味する。
【符号の説明】
【００４０】
１    おむつ（使い捨ての着用物品）
２    前ウエスト域
３    後ウエスト域
４    クロッチ域
２０    前ウエストパネル（第１または第２ウエストパネル）
２３    前ウエスト弾性体
３０    後ウエストパネル（第１または第２ウエストパネル）
３３    後ウエスト弾性体
４０    クロッチパネル
４０ａ  前端縁（第１または第２端縁）
４０ｂ  後端縁（第１または第２端縁）
４０ｃ  両側縁
４１    芯材
４１ａ  前端縁（第１または第２端縁）
４１ｂ  後端縁（第１または第２端縁）
４１ｃ  両側縁
４６    第１カフ（ガスケットカフ）
４９    被覆シート
５１    ガスケット弾性体
５１ａ  前端部（第１または第２端部）
５１ｂ  後端部（第１または第２端部）
５２    遠位弾性体
６４    非伸縮領域
６５    第１伸縮領域
６６    第２伸縮領域
７０    ポケット
【図１】
0005814063.tif 000002
【図２】
0005814063.tif 000003
【図３】
0005814063.tif 000004
【図４】
0005814063.tif 000005
【図５】
0005814063.tif 000006
【図６】
0005814063.tif 000007
【図７】
0005814063.tif 000008
【図８】
0005814063.tif 000009